(57)【特許請求の範囲】
【請求項１】
乗客が乗場或いは乗かご内に設けられた乗場呼び釦或いは行き先階階床釦を操作して乗場或いは行き先階の呼び登録を行うエレベータの呼び登録装置において、
前記乗場或いは乗かご内に設けられた乗場呼び釦或いは行き先階階床釦を擬似釦で構成すると共に、この擬似釦に向けられた乗客の視線を撮像するようにカメラを設け、このカメラで撮像された乗客の視線を画像処理装置で処理し、乗場或いは行き先階の呼び登録を行うようにしたことを特徴とするエレベータの呼び登録装置。
【請求項２】
前記乗場或いは乗かご内の床に、乗客の立つ位置を明示するスペースを設けたことを特徴とする請求項１記載のエレベータの呼び登録装置。
【請求項３】
前記呼び登録を乗客が意識的に瞼を閉じた後に行うようにしたことを特徴とする請求項１記載のエレベータの呼び登録装置。
【請求項４】
前記カメラで撮像した顔画像から登録者かどうかの判別を行い、登録者であることが確認された時のみ呼び登録を行うようにしたことを特徴とする請求項１記載のエレベータの呼び登録装置。
【発明の詳細な説明】
【技術分野】
【０００１】
本発明は、乗場或いは行き先階の呼び登録を行うエレベータの呼び登録装置に関する。
【背景技術】
【０００２】
従来、一般に用いられているエレベータの呼び登録装置としては、乗客が乗場或いは乗かご内に設けられた乗場呼び釦或いは行き先階階床釦を操作して乗場或いは行き先階の呼び登録を行うものがある。
【発明の開示】
【発明が解決しようとする課題】
【０００３】
しかしながら、前述した従来のものでは、乗客が両手に大きな荷物を持っていた場合には荷物を床に置かない限り操作できないという問題があった。また、上肢を動かすことが困難な乗客の場合操作できないという問題もあった。
【０００４】
本発明は、前述した従来技術における実状からなされたもので、その目的は、乗客が乗場或いは乗かご内に設けられた乗場呼び釦或いは行き先階階床釦を操作することなく呼びの登録を行うことのできるエレベータの呼び登録装置を提供することにある。
【課題を解決するための手段】
【０００５】
前記目的を達成するために、本発明の請求項１では、乗客が乗場或いは乗かご内に設けられた乗場呼び釦或いは行き先階階床釦を操作して乗場或いは行き先階の呼び登録を行うエレベータの呼び登録装置において、前記乗場或いは乗かご内に設けられた乗場呼び釦或いは行き先階階床釦を擬似釦で構成すると共に、この擬似釦に向けられた乗客の視線を撮像するようにカメラを設け、このカメラで撮像された乗客の視線を画像処理装置で処理し、乗場或いは行き先階の呼び登録を行うようにしたことを特徴とする。
【０００６】
このように構成した本発明の請求項１に係る発明は、乗客の視線で乗場或いは行き先階の呼び登録を行うことができるため、乗場呼び釦或いは行き先階階床釦を操作することなく呼びの登録を行うことができると共に、擬似釦であるので視線の特定できる位置に自由に配置できる。
【０００９】
更に、本発明の請求項２に係る発明は、乗場或いは乗かご内の床に、乗客の立つ位置を明示するスペースを設けたことを特徴としている。
【００１０】
このように構成した本発明の請求項２に係る発明は、乗客の位置が明確になるため、カメラの撮像をより鮮明なものとすることができ、視線の状態をより明確なものとすることができる。
【００１１】
更に、本発明の請求項３に係る発明は、呼び登録を乗客が意識的に瞼を閉じた後に行うようにしたことを特徴としている。
【００１２】
このように構成した本発明の請求項３に係る発明は、乗客の合図後の登録であるためより正確な登録を行うことができる。
【００１３】
更に、本発明の請求項４に係る発明は、カメラで撮像した顔画像から登録者かどうかの判別を行い、登録者であることが確認された時のみ呼び登録を行うようにしたことを特徴としている。
【００１４】
このように構成した本発明の請求項４に係る発明は、登録者であることが確認された時のみ呼び登録を行うため、セキュリティに優れたものとすることができる。
【発明の効果】
【００１５】
本発明によれば、乗客の視線で乗場或いは行き先階の呼び登録を行うことができるため、上肢が不自由でも又両手に荷物を持っている場合でも、乗場呼び釦或いは行き先階階床釦を操作することなく呼びの登録を行うことができる。
【発明を実施するための最良の形態】
【００１６】
以下、本発明に係るエレベータの呼び登録装置の実施の形態を図に基づいて説明する。
【００１７】
図１は本発明のエレベータの呼び登録装置の一実施形態を示す乗場側の正面図、図２は本発明のエレベータの呼び登録装置の一実施形態を示す乗かご側の正面図、図３は本発明のエレベータの呼び登録装置の全体構成を示すブロック図、図４は本発明のエレベータの呼び登録装置の処理手順を示すフローチャートである。
【００１８】
図１において、１はエレベータの乗場で、この乗場１には 階床扉２を備えた出入口枠３が設けられている。この出入口枠３には上昇，下降のいずれかの乗かごを呼ぶための乗場呼び釦４Ａ，４Ｂと、この乗場呼び釦４Ａ，４Ｂの前に立つ乗客５の目の部分を撮像するカメラ６が設けられている。７は乗場床８に設けられた乗客５の立つ位置を明示するスペースである。
【００１９】
図２において、１０は乗かごで、この乗かご１０には 乗かご扉１１を備えた出入口枠１２が設けられている。この出入口枠１２には乗かご１０の行き先階を登録するための行き先階階床釦１３と、この行き先階階床釦１３の前に立つ乗客５の目の部分を撮像するカメラ１４が設けられている。１５は乗かご床１６に設けられた乗客５の立つ位置を明示するスペースである。
【００２０】
図３において、２０はカメラ６，１４で撮像した画像を処理する画像処理装置で、この画像処理装置２０には、予め登録者の顔画像に関する情報がデータ化され登録されている。この情報とは、乗客５の顔の位置検出と個人認証用の顔の特徴点及び顔画像の濃度値(色情報)、目の位置検出用の目のテンプレート画像、視線方向判別用の目の特徴点及び虹彩データのことである。
【００２１】
また、この画像処理装置２０は、カメラ６，１４で撮像した画像を、スペース７，１５上に乗客がいるか、乗客の顔画像からの個人認証、呼び登録するための視線方向の検出、選択した呼びを決定するための瞼の状態判別を順次行い、呼び決定後の選択された呼びをエレベータの制御を司るエレベータ制御装置２１に出力するようになっている。更に、 乗場呼び釦４Ａ，４Ｂ或いは行き先階階床釦１３が点灯するように構成されている場合は、呼びの出力と同時に点灯する乗場呼び釦或いは行き先階階床釦点灯装置２２が設けられている。
【００２２】
次に、本発明の動作について図４のフローチャートを用いて説明する。
【００２３】
カメラ６、１４は、乗場或いは乗りかご内の画像を撮像し、画像処理装置２０が前記撮像データから前記領域内の乗客５の有無を判定する（ステップ１）。ステップ１において、乗客５有りの場合、画像処理装置２０が乗場１或いは乗りかご１０のスペース７，１５にいる人物の顔画像を検出しデータ化して取り込む（ステップ２）。一方、乗客５なしと判別された場合、図４の処理ルーチンを終了する。画像処理装置２０が前記顔画像の情報を抽出し登録データと照合し乗客５が登録者と一致するのかを判別する（ステップ３）。
【００２４】
ステップ３において、乗客５が登録者であると判別された場合、画像処理装置２０は、カメラ６、１４が撮像した顔画像から情報を抽出し登録データと比較して、乗客５が乗場呼び釦４a、４ｂの上下どちらに視線を向けているのか或いは乗りかご１０内の行き先階階床釦１３のどの釦（この例では１〜６）に視線を向けているかを判別する（ステップ４）。一方、乗客５が登録者でないと判別された場合は、図４の処理ルーチンを終了する。
【００２５】
ステップ４において、画像処理装置２０が乗客５の視線の先に乗場呼び釦４aがあると判別した場合、視線の先にある乗場呼び釦４aを点灯する。また、乗りかご内において乗客５の視線の先に行き先階階床釦１３の１階があると判別した場合、視線の先にある行き先階階床釦１３の１階の釦を点灯する（ステップ５）。次に、画像処理装置２０がカメラ６、１４が撮像した顔画像から抽出した眼球画像の情報から乗客５の瞼の状態を判別する（ステップ６）。一方、画像処理装置２０が乗客３の視線の先に乗場呼び釦４a、４ｂ或いは行き先階階床釦１３の１〜６階の釦がないと判別し、かつ前記状態が一定時間続いた場合、図４の処理ルーチンを終了する。
【００２６】
ステップ６において、画像処理装置２０が乗客３の瞼が一定時間以上閉じていると判別した場合、瞼を閉じる直前に乗客５が視線を向けていた乗場呼び釦４a、４ｂ或いは行き先階階床釦１３の呼びが登録される（ステップ７）。一方、画像処理装置２０が乗客３の瞼が一定時間以上閉じていないと判別した場合（、ステップ４の行先階判別処理に戻る。また、必要に応じ、画像処理装置２０は乗場釦或いは階床釦点灯装置を作動させ、瞼を閉じる直前に乗客５が視線を向けていた乗場呼び釦４a、４ｂ或いは行き先階階床釦１３を点灯する。
【００２７】
このように、乗客の視線で乗場或いは行き先階の呼び登録を行うことができるため、乗場呼び釦４a、４ｂ或いは行き先階階床釦１３を操作することなく呼びの登録を行うことができる。
【００２８】
又、乗場呼び釦４a、４ｂ或いは行き先階階床釦１３を擬似釦で構成した場合、擬似釦であるので視線の特定できる位置に自由に配置できる。
【００２９】
更に、乗場或いは乗かご内の床に、乗客の立つ位置を明示するスペース７，１５を設けたことにより、乗客の位置が明確になるため、カメラ６，１４の撮像をより鮮明なものとすることができ、視線の状態をより明確なものとすることができる。
【００３０】
更に、呼び登録を乗客が意識的に瞼を閉じた後に行うようにしたため、乗客の合図後の登録であるためより正確な登録を行うことができる。
【００３１】
更に又、カメラ６，１４で撮像した顔画像から登録者かどうかの判別を行い、登録者であることが確認された時のみ呼び登録を行うようにしたため、セキュリティに優れたものとすることができる。
【図面の簡単な説明】
【００３２】
【図１】本発明のエレベータの呼び登録装置の一実施形態を示す乗場側の正面図である。
【図２】本発明のエレベータの呼び登録装置の一実施形態を示す乗かご側の正面図である。
【図３】本発明のエレベータの呼び登録装置の全体構成を示すブロック図である。
【図４】本発明のエレベータの呼び登録装置の処理手順を示すフローチャートである。
【符号の説明】
【００３３】
１            乗場
４a、４ｂ    乗場呼び釦
５            乗客
６，１４      カメラ
７、１５      スペース  
１３          行き先階階床釦
２０          画像処理装置
２１          エレベータ制御装置
【図１】
0004646793.tif 000002
【図２】
0004646793.tif 000003
【図３】
0004646793.tif 000004
【図４】
0004646793.tif 000005